(57)【要約】プラスチック材料の積層品に埋め込まれ、あらかじめ定められた観察方向から目視で認識できる、反射性の変光性表面パターン(３)を含む保証素子(２)は、変光性表面素子(１３)のモザイクで形成される。表面パターン(３)のモザイクにおいて、表面パターン(３)の少なくとも２つのモザイク面(１１，１２)が実質的に隣接して配置され、モザイク面(１１，１２)は極めて微細な光回折レリーフ構造(４)を有する。モザイク面(１１，１２)のレリーフ構造の空間周波数は、法線(３２)に対して斜めに照明ビームが積層品の平面に入射する場合に、モザイク面(１１，１２)のレリーフ構造が可視単色光を法線(３２)に平行に偏向させるような態様の、あらかじめ定められた空間周波数範囲にある値のものである。モザイク面(１１，１２)のレリーフ構造は空間周波数だけが異なり、隣接するモザイク面(１１，１２)における空間周波数差は多くとも４０本/ｍｍである。
2004528213.tif 000002
【特許請求の範囲】
【請求項１】
プラスチック材料の積層品に埋め込まれ、あらかじめ定められた観察方向から目視で認識できる反射性の変光性表面パターン(３)を含み、変光性表面素子(１３)のモザイクで形成される保証素子(２)において、
前記表面パターン(３)の前記モザイクにおいて、前記表面パターン(３)の少なくとも２つの前記モザイクの面(１１，１２)が実質的に隣接されて配置され、前記少なくとも２つのモザイク面(１１，１２)は、ほぼ平行な格子ベクトルを有する、極めて微細な光回折レリーフ構造(４)で占められ、
前記レリーフ構造(４)の空間周波数(ｆ)は、照明ビーム(１７)が法線(３２)に対して斜めに前記積層品の平面に入射する場合に、前記モザイク面(１１，１２)の前記レリーフ構造(４)が可視単色光を前記法線(３２)に平行に偏向するような、あらかじめ定められた空間周波数範囲にある値を有し、
背景面(１２)としての前記隣接するモザイク面(１１，１２)の内の少なくとも１つが、他の１つまたは複数の前記モザイク面(表面領域１１)を、前記表面領域(１１)が肉眼で認識することができる情報アイテムを形成するように前記背景面(１２)上に前記表面領域(１１)が配置されるように取り囲み、
前記背景面(１２)及び前記表面領域(１１)を形成する前記両モザイク面(１１，１２)の前記レリーフ構造(４)は、１つまたは複数の前記背景面(１２)及び前記表面領域(１１)が、観察者にとってはカラーコントラストが異なって見えるが、カラーコピーにおいては前記隣接する１つまたは複数の前記背景面(１２)及び前記表面領域(１１)が、同じ色または灰色で再現されるように、前記空間周波数(ｆ)が異なっている、
ことを特徴とする保証素子(２)。
【請求項２】
前記隣接するモザイク面(１１，１２)の前記レリーフ構造(４)の前記空間周波数(ｆ)における前記差が多くとも４０本/ｍｍであることを特徴とする請求項１に記載の保証素子(２)。
【請求項３】
少なくとも一方の前記モザイク面(１１，１２)の前記レリーフ構造(４)の前記空間周波数(ｆ)が０.５ｍｍと１０ｍｍの間の周期及び３本と２０本の間の変動量で変調されることを特徴とする請求項１に記載の保証素子(２)。
【請求項４】
一方の前記モザイク面(１１)における前記レリーフ構造(４)の前記空間周波数(ｆＨ)の前記変調が、他方の前記モザイク面(１２)における前記レリーフ構造(４)の前記空間周波数(ｆＴ)の前記変調に対して６０°と１８０°の間の範囲にある位相角をなして偏位させてあることを特徴とする請求項３に記載の保証素子(２)。
【請求項５】
前記隣接するモザイク面(１１，１２)の前記レリーフ構造(４)の前記空間周波数(ｆ)が、３５０本/ｍｍと５５０本/ｍｍの間、及び／または７２５本/ｍｍと１０２５本/ｍｍの間の範囲にあることを特徴とする請求項１から４のいずれかに記載の保証素子(２)。
【請求項６】
前記隣接するモザイク面(１１，１２)の前記レリーフ構造(４)の前記空間周波数(ｆ)が、８００本/ｍｍと８２０本/ｍｍの間、及び／または８６０本/ｍｍと８９０本/ｍｍの間の範囲にあることを特徴とする請求項１から４のいずれかに記載の保証素子(２)。
【請求項７】
前記隣接するモザイク面(１１，１２)において、前記表面領域(１１)が複数の単語または複数の英数字またはグラフィックデザインの形態にあることを特徴とする請求項１から６のいずれかに記載の保証素子(２)。
【請求項８】
前記隣接するモザイク面(１１，１２)が０.３ｍｍの最大寸法(ｈ)をもつ表面領域(３６)に分割されており、前記隣接するモザイク面(１１，１２)の前記表面領域(３６)が前記レリーフ構造(４)として円形回折格子(３７)または十字回折格子(３８)または六方回折格子(３９)を有することを特徴とする請求項１から７のいずれかに記載の保証素子(２)。
【請求項９】
前記隣接するモザイク面(１１，１２)が前記レリーフ構造(４)として直線回折格子(４０)を有することを特徴とする請求項１から７のいずれかに記載の保証素子(２)。
【発明の詳細な説明】
【技術分野】
【０００１】
本発明は特許請求項１の分類指定部分に述べられるような回折型の保証素子に関する。
【背景技術】
【０００２】
上記のような回折型保証素子は、文書の真正性を証明するために用いられ、回転させるかまたは傾けることにより、それを見る人の視点から印象的なあらかじめ定められた態様で変化する変光パターンによって識別される。
【０００３】
その種の回折型保証素子は多くの資料から知られているが、ここでは特許文献１，特許文献２及び特許文献３を代表例として参照する。回折型保証素子はパターンの光彩及び変移効果によって識別される。回折型保証素子はプラスチック材料の薄いラミネートに埋め込まれて、銀行券、債券、戸籍証明書、パスポート、ビザ、身分証明書等のような文書上にスタンプの形態で貼り付けられる。保証素子の作成に用いられ得る材料は特許文献４に要約されている。
【０００４】
最近のカラーコピー機及びスキャナ装置は、そのような文書を見かけ上は正しい色合いで複製できる。回折型保証素子もコピーされるが、この場合は単一のあらかじめ定められた視角において原本で見ることができるパターンがカラーコピー機の印刷色をもつ画像として再現され、光彩及び変移効果は明らかに失われる。そのような文書コピーは、劣悪な照明条件下であったり、または観察者が注意を払っていない場合に、原本と混同される可能性がある。
【０００５】
並べて配置された着色表面領域を処理する場合、表面領域における色の分光波長の差が１０ナノメーター(ｎｍ)より小さくとも、人間の目はカラーコントラストを看取する。４７０ｎｍと６４０ｎｍの間の範囲では特に、１ｎｍと２ｎｍの間の差であっても観察者は気づく(非特許文献１)。
【０００６】
人間の目の分光感度とカラーコピー機の分光感度の差に基づく既知のアイデアは、着色された背景をもつ文書を準備し、その背景上に別の色で情報を印刷するというものであり、この場合は、情報が、背景に対して、人間の目では看取できるがカラーコピー機では再現できないコントラストをともなう。
【０００７】
特許文献５は、２つの色Ａ及びＢからなる反復パターン、例えば格子縞模様を背景として有し、情報が別の色Ｓで背景パターン上に印刷されるような、着色された保証用紙を開示している。色Ａ，Ｂ及びＳの分光反射率は、カラーコピー機が色Ａの領域におけるＡとＳの間ではコントラストを明白に認識して再現できるが、色Ｂの領域におけるＢとＳの間ではできないように選ばれる。したがって、コピー上では、情報の、領域Ａにある部分しか見ることができない。
【０００８】
特許文献６は、印刷法により作成された着色原本をカラーコピーから識別する２つの方法を開示している。一方の方法は、印刷インクの着色成分を検出するものであり、他方の方法は、カラーコピー機の画像処理の、人間の目の画像処理と比較して異なる、動的領域に基づくものである。原本においては、背景及び情報の色が分光反射率に関して±５％の変調をともない、背景色は可視光の緑スペクトル範囲で最大反射率を有し、情報の色は青及び赤スペクトル範囲のそれぞれで最大反射率を有する。いずれの補色の分光反射率も可視スペクトル領域にわたって平均して同じ値であり、合わさって白色をなす。眼は緑色の背景に対して深紅色の情報を容易に看取できるが、カラーコピー機は白色ないし若干灰色がかった表面しか表現できない。
【０００９】
特許文献６の、偽原本の真正性を検証するための、化学的検出に関する第１の方法は、処理が実際上困難な色混合技法を含む。
【特許文献１】
欧州特許第０１０５０９９Ｂ１号明細書
【特許文献２】
欧州特許第０３３０７３８Ｂ１号明細書
【特許文献３】
欧州特許第０３７５８３３Ｂ１号明細書
【特許文献４】
欧州特許第０２０１３２３Ｂ１号明細書
【特許文献５】
欧州特許第０２８１３５０Ｂ１号明細書
【特許文献６】
米国特許第５３３８０６６号明細書
【非特許文献１】
ダブリュー・ディー・ライト(W. D. Wright)及びエフ・ジー・ジー・ピット(F. G. G. Pitt)，「正常な色覚における色相弁別（Hue discrimination in normal colour vision）」，Proc. Physical Society(ロンドン)，１９３４年，第４６巻，ｐ.４５９
【非特許文献２】
ファン・レネッセ（van Renesse）偏、「光学的文書の保証（Optical Document Security）」，ＩＳＤＮ第０-８９００６-９８２-４号，ｐ.１３５
【発明の開示】
【発明が解決しようとする課題】
【００１０】
本発明の課題は、カラーコピー機では再現できない情報を有する、安価な回折型保証素子を提供することである。
【課題を解決するための手段】
【００１１】
本発明にしたがえば、特許請求項１の特徴指定部分に挙げられた特徴により、上記課題が達成される。本発明の有利な構成は従属請求項に述べられる。
【発明を実施するための最良の形態】
【００１２】
本発明の実施形態が以降でかなり詳細に説明され、図面に示される。
【００１３】
図１は、文書１上に貼り付けられ、表面パターン３を有する、保証素子２の断面図である。文書１は、保証素子２の基板としてはたらき、表面に貼り付けられている保証素子２によりその真正性が証明される、特に、パス、銀行券、ビザ、債券、入場券等を意味する。極めて微細な、機械的にまたはホログラフィ技術でつくられた、表面パターン３の変光性構造４が、プラスチック材料の積層品に埋め込まれている。例えば、積層品は、ガラスのように透明で、それを通して表面パターン３をあらかじめ定められた観察方向から目視で認識できる透明カバー層５を含む。カバー層５の下には、極微細構造４が形成されたラッカー層６が配置されている。構造４は、単純な矩形構造の形態で象徴的にしか示されていないが、表面素子の変光性構造４を構成する表面パターン３のモザイクを表わす。構造４は、構造４の溝が保護ラッカー層７で埋められ、構造４がラッカー層６と保護ラッカー層７の間に埋め込まれるようにして、保護ラッカー層７で覆われる。保証素子２を文書１に固着できるように、接着剤層８が文書１と保護ラッカー層７の間に配される。別の設計構成においては、層５と６及び層７と８はそれぞれ、層５と６及び層７と８のそれぞれの間に界面が存在しないように、同じ材料とすることができる。構造４は層６と７の間の界面９を画定している。界面９の光学的効力は、２つの隣接する層、ラッカー層６と保護ラッカー層７の材料の屈折率の差とともに高まる。界面９の光学的効力を高めるため、構造４は、保護ラッカー層７を施す前に、溝の深さに比較して薄い金属または誘電体の反射層で覆われる。保証素子２のその他の実施形態及び透明または不透明の保証素子に用いられ得る材料が、本明細書の冒頭で参照された特許文献４に説明されている。図１に示される構造４は単純な矩形構造の形態で象徴的にしか示されていないが、一般に、光回折レリーフ構造、光散乱レリーフ構造またはミラー表面のような、変光構造４を表わす。既知の光回折レリーフ構造は、直線または円形回折格子及びホログラムである。艶消し構造も、光散乱レリーフ構造という用語の範疇に含まれる。
【００１４】
図２は、文書１上に搭載され、テキストパネル１０を有する、保証素子２を示す。テキストパネル１０は、回折表面パターン３の一部である。単純な設計では、テキストパネル１０は少なくとも２つの互いに接するモザイク面１１，１２を有する。別の実施形態において、モザイク面１１，１２は背景面１２及び表面領域１１をもつパターンを形成する。背景面１１の表面及び表面領域１２の表面は回折構造で覆われる。モザイク状の態様で配置され、回折、散乱または反射特性を有する、別の表面素子１３が表面パターン３に追加される。個々のストリップ形表面素子１３はテキストパネル１０上に広がることもできる。
【００１５】
例として、テキストパネル１０は“ＴＥＸＴ”という題字を有する。題字は少なくとも１つの背景面１２内に配置される表面領域１１を含む。背景面１２と表面領域１１のいずれもがあらかじめ定められた目視条件の下で観察者にはあらかじめ定められた色に見え、カラーコントラストにより表面領域１１が背景面１２から明瞭に現れるように、入射白色光が回折構造において回折される。
【００１６】
図３はカラーコピー機の走査装置の断面の略図を示す。ガラス板１４が、保証素子２が表面に貼り付けられている(図１)、コピー対象の文書１の支持体としてはたらく。文書１は、コピー対象の文書面がガラス板１４に接する。白色光源１５がガラス板１４上の挟幅線条部１６を照明する。本図においては、線条部１６は図３の図の平面に垂直にｙ方向に延び、したがって図では点の形態でしか見えない。ｘ方向は、図３の図の平面及びガラス板１４の表面に平行に方向付けられている。白色光源１５からの照明ビーム１７は、照明ビーム１７が文書１の表面及び回折構造に約３０°の角度で入射し、線条部１６に平行な文書１の領域１８を照明するように、垂線に向けてガラス板１４で屈折される。領域１８において、光は、回折構造により反射回折され、文書１の表面で散乱または反射される。回折、反射または散乱された光の一部が再びガラス板１４を通過して、ガラス板１４の先の半空間に送り返される。ガラス板１４を垂直に通過した光ビーム１９だけが、直接に、または偏向ミラーを介する偏向光ビーム２１の形態で、受光器２０に進入する。その他の全ての光、例えばガラス板１４を垂直に通過しなかった二次ビーム２２，２３は、(本図には示されていない)遮光部材に入射し、受光器２０には進入しない。白色光源１５及び受光器２０は、文書１を光走査するためにレール２５上をｘ方向に移動可能なカートリッジ２４上に配置される。白色光源１５，偏向ミラー、受光器２０及びカートリッジ２４は、線条部１６に平行な関係でｙ方向に直線的に延びる。本図には、領域１８と受光器２０の間で光ビーム１９，２１を案内するための受光器２０の光学系が示されていない。走査動作において、カラーコピー機が文書１または保証素子２の線条画像を順次に検出するように、領域１８が文書１にわたって段階的に移動する。基板１０の全体が段階的に光走査される。
【００１７】
図４は色度図を示す(非特許文献２)。スペクトル上の単色の位置が舌状の外境界２６を形成する。境界２６に沿う３桁の数字は光の波長をナノメータ(ｎｍ)単位で指定する。３８０ｎｍと７７０ｎｍの間の直連結線２７は深紅色の位置である。混色は全て境界２６及び連結線２７内の色領域２８にある。色領域２８にある多角形２９は、高級カラー印刷機の色再現領域を包含し、さらに内側の、白色点３１を含む、ハッチングが施された多角形の色度領域３０は、カラーコピー機により再現される。文書１の色がカラー印刷機で印刷されていれば、その色度は多角形２９内にある。色度領域３０をもつカラーコピー機では、文書１のコピーに再現される色が、それらの色は全て色度領域３０に付随するから、制限される。色度領域３０の外側、例えば色領域２８内の直線３４上にある色度は有色点３５のようにカラーコピーに再現される。有色点３５はその色度の位置と白色点３１を結ぶ直線３４上にある。
【００１８】
ここで図２に戻れば、機械的にまたはホログラフィ技術でつくられた極めて微細な変光性構造４(図１)をもつ図示のテキストパネル１０は、白色光(昼光)で照明されると、観察者の視点からは、境界２６(図４)上にあるスペクトル上の単色のほとんどを生じる。テキストパネル１０がコピーされると、カラーコピー機で得られる照明条件の下で、照明される回折構造のパラメータにしたがい、背景面１２及び／または表面領域１１において、スペクトル上のほとんどの単色光が受光器２０(図３)に表われる。カラーコピー機は、色度領域３０からカラーコピー機に利用できる色度でテキストパネル３０をコピーに再現する。表面パターン３(図２)は、カラーコピー機の走査及び照明条件の下で受光器２０に表われたパターンに色度値領域３０からの色を用いてカラーコピーに再現される。したがって、カラーコピーにおける表面パターン３の再現は走査方向にも依存する。
【００１９】
本発明にしたがえば、観察者の眼が背景面１２と表面領域１１との間のカラーコントラストを検出し、表面領域１１を背景面１２から識別できるように、空間周波数ｆＨ及びｆＴが背景面１２及び表面領域１１に対してそれぞれ選ばれる。したがって、観察者は、保証素子２の原本において表面領域１１で表わされる情報を認識する。空間周波数ｆＨ及びｆＴが近接していれば、カラーコピー機は背景面１２と表面領域１１のいずれをも同じ色度で再現する。したがって、背景面１２と表面領域１１はコピーでは識別できない。表面領域１１で表わされる情報アイテムは、図２に示されるような英数字、及び／またはグラフィックパターンあるいはキャラクタである。
【００２０】
図５はカラーコピー機における照明及び観察条件を示す。変光性構造４をもつ保証素子２が文書１のｘ-ｙ平面に配置される。構造４がｘ-ｙ平面で平坦なミラー面であれば、角度−αで斜めに入射する照明ビーム１７は、二次ビーム２２の形態で、法線３２に対し角度＋αで反射される。したがって、平坦なミラー面は黒色面としてカラーコピー機で表現される。照明ビーム１７，二次ビーム２２及び法線３２は回折平面３３を画定する。
【００２１】
変光性構造４が例えば直線回折格子４０(図６)である場合に、負側の第ｋ回折次数に回折される光ビーム１９(図３)が法線３２に平行に回折されていれば、光ビーム１９だけが受光器２０(図３)に入射する。したがって、空間周波数ｆ及びｆＨ及びｆＴはそれぞれ、下式：
【数１】
2004528213.tif 000003
【００２２】
にしたがってあらかじめ定められる。ここで、αは入射角であり、δ＝０°は法線３２と回折光ビーム１９の間の回折角である。回折光ビーム１９は波長λにおける第ｋ回折次数にある。正側の第ｋ回折次数にある回折ビームである、二次ビーム２３は法線に対して角度２αをなす。２５°と３０°の間の入射角αの場合、回折光が受光器２０に進むような、ｋ＝１で使用可能な空間周波数ｆの範囲は、７２５本/ｍｍと１０２５本/ｍｍの間であり、ｋ＝２で使用可能な空間周波数ｆの範囲は、３５０本/ｍｍと５５０本/ｍｍの間である。範囲の限界は、受光器２０の光学系、寸法形状及び感色性で定まる。表面パターン３に存在し得るむらを補償するため、空間周波数ｆを変調することが有利であり、変調に関しては、０.５ｍｍと１０.０ｍｍの間の一周期の少なくとも一部または複数の周期にわたり、３本/ｍｍと２０本/ｍｍの間の変化量で空間周波数ｆが変化する。この変調は昼光において肉眼で見ることができるが、カラーコピー機で再現することはできない。一実施形態において、空間周波数ｆＨ及びｆＴを有する２つのモザイク面１１，１２が接合し、２つのモザイク面１１及び１２の共通境界に沿って空間周波数ｆＨ及びｆＴの変調が、例えば９０°と１８０°の間の範囲にある、位相角で偏位する。
【００２３】
上記の考察は、回折格子の格子ベクトルが回折平面３３にあり、したがって走査方向に平行である場合にしか適用されない。したがって、背景面１２(図２)及び表面領域１１(図２)にある回折格子の格子ベクトルは、背景面１２及び表面領域１１にある回折格子が、表面パターン３(図２)の残余部分とは異なり、実質的に同じ条件の下で光走査されるように、ほぼ平行に配置される。
【００２４】
走査方向をどのようにとっても、格子ベクトルは回折平面３３に対してある方位角θを有する。法線３２の方向に回折格子によりつくられる分光色が背景面１２と表面領域１１のいずれにおいても変わるように方位角θが大きくなる直線回折格子の場合には実効空間周波数ｆが低下し、この場合、背景面１２からの回折光ビーム１９と表面領域１１からの回折光ビーム１９の波長の差がほとんど変化せず、カラーコピー機では僅かな色差が再現されない。
【００２５】
可視回折光ビーム１９が受光器２０にもはや進入しなくなった直後でも、受光器２０はまだ散乱光だけは受け取る。回折格子は、空間周波数ｆにかかわらず、濃い艶消し構造のようにはたらき、カラーコピー機では灰色で再現される。光回折表面パターン３を含む保証素子２をもつ文書１(図２)の再現は、ガラス板１４(図３)上の表面パターン３の方位に依存し、テキストパネル１０は必ず１つの色で再現され、よって表面領域１１に含まれる情報を識別することはできない。
【００２６】
白色照明ビーム１７(図３)による表面パターン３の走査時には、６１５ｎｍと７００ｎｍの間の範囲にある波長λの光が受光器２０(図３)に進入するように、背景面１２及び表面領域１１の回折格子の空間周波数が選ばれることが有利である。したがって、空間周波数ｆＨ及びｆＴはそれぞれ、７７０本/ｍｍと８２０本/ｍｍの間の空間周波数範囲から選ばれるべきであり、空間周波数ｆＨ，ｆＴは、ｋ＝１の場合は５本/ｍｍと４０本/ｍｍの間、ｋ＝２の場合は２０本/ｍｍの空間周波数差Δｆ＝±(ｆＨ−ｆＴ)を伴う。ここでｋは回折次数を示す。表面パターン３の一実施形態において、背景面１２の回折格子はそれぞれｆＨ＝８１０本/ｍｍ及び８６０本/ｍｍの空間周波数を有し、表面領域１１の回折格子はそれぞれｆＴ＝８００本/ｍｍ及び８９０本/ｍｍの空間周波数を有する。ｆＨ及びｆＴに関する値を入れ替え得ることは理解されるであろう。観察者の視点からは、昼光において、ｆＨ＝８１０本/ｍｍの背景面１２は波長６１７ｎｍの赤色に輝き、ｆＴ＝８００本/ｍｍの表面領域１１は波長６２５ｎｍの暗赤色に見える。上記の範囲において、人間の眼は少なくとも２ｎｍの波長差を識別する。観察者の視点からは、８ｎｍの差は顕著なカラーコントラストを生じ、よって情報を容易に識別できる。カラーコピー機ではそのような色差をコピーに再現することができない。
【００２７】
カラーコピーにおけるテキストパネル１０(図２)の再現の走査方向依存性を弱めるため、背景面１２(図２)及び表面領域１１(図２)の回折格子は、図６に示され、空間周波数ｆＨ及びｆＴに関してのみ異なる構成をもつことが有利である。そのような回折格子は、最大寸法ｈが０.３ｍｍ未満である正方形または六角形の表面領域３６を埋める。表面領域３６は、背景面１２及び表面領域１１と同じ形状及び同じ寸法をもち、背景面１２及び表面領域１１を完全に埋める。一実施形態において、モザイク面１１，１２は画素からなるキャラクタを含む表面領域３６からなる。表面領域３６を埋める回折格子の形状は、円形回折格子３７，十字回折格子３８，及び六方回折格子３９である。円形回折格子３７では、円溝が空間周波数ｆで表面領域３６に同心に配置されている。十字回折格子３８は、好ましくは空間周波数ｆが同じである、２つまたはそれより多い交差直線回折格子を有する。六方回折格子３９では、溝が六角形であって、六角形であることが有利である表面領域３６に、空間周波数ｆで同心に配置されている。六方回折格子３９の代わりに、前記方位角に規則的に分布させた格子ベクトルをもつ複数の直線回折格子４０群の配合を用いることが可能である。複数の直線回折格子４０群の配合は六方回折格子３９の一般化である。図１から５に関する説明で考察された直線回折格子４０にも利点がある。
【図面の簡単な説明】
【００２８】
【図１】レリーフ構造の断面図である
【図２】表面パターンを示す
【図３】カラーコピー機の走査装置の断面図を示す
【図４】色度図を示す
【図５】回折面を示す
【図６】回折格子を示す
【符号の説明】
【００２９】
１    文書
２    保証素子
３    表面パターン
４    レリーフ構造
１１，１２    モザイク面
１３    表面素子
１７    照明ビーム
３２    法線
３６    表面領域
３７    円形回折格子
３８    十字回折格子
３９    六方回折格子
４０    直線回折格子
【国際公開パンフレット】
2004528213.tif 000004
2004528213.tif 000005
2004528213.tif 000006
2004528213.tif 000007
2004528213.tif 000008
2004528213.tif 000009
2004528213.tif 000010
2004528213.tif 000011
2004528213.tif 000012
2004528213.tif 000013
2004528213.tif 000014
2004528213.tif 000015
2004528213.tif 000016
2004528213.tif 000017
2004528213.tif 000018
2004528213.tif 000019
2004528213.tif 000020
2004528213.tif 000021
2004528213.tif 000022
【国際調査報告】
2004528213.tif 000023
2004528213.tif 000024
2004528213.tif 000025
2004528213.tif 000026
2004528213.tif 000027
2004528213.tif 000028